【手続補正書】
【提出日】平成15年6月4日(2003.6.4)
【手続補正１】
【補正対象書類名】明細書
【補正対象項目名】特許請求の範囲
【補正方法】変更
【補正の内容】
【特許請求の範囲】
【請求項１】
外部から入力される圧縮された動画映像の復元を実行するために全体のプロセッサを制御する制御手段と、
動画映像の復元を実行する復元手段と、
復元された動画映像信号に対して外部に連結される出力装置に適合する後処理を実行する後処理手段と、
前記復元手段と外部メモリとの第１インターフェース手段と、
前記後処理手段と前記外部メモリとの第２インターフェース手段と、
前記外部メモリと周辺装置との第３インターフェース手段と、
前記外部メモリを制御するメモリ制御手段と、
前記周辺装置が連結されたローカルバスとメインバスとの第４インターフェース手段と、
前記各構成部を連結させるバスと
を備えることを特徴とするマルチメディア信号処理のための映像復元プロセッサ。
【請求項２】
前記復元手段及び前記後処理手段は、前記制御手段と独立に動作するコプロセッサから構成されていることを特徴とする請求項１記載のマルチメディア信号処理のための映像復元プロセッサ。
【請求項３】
前記制御手段と前記復元手段及び前記後処理手段との間の命令伝達及び制御は、前記後処理手段が前記制御手段と独立に動作する独立的なコプロセッサバスを介してインターフェースされるようにしたことを特徴とする請求項１記載のマルチメディア信号処理のための映像復元プロセッサ。
【請求項４】
前記制御手段は、別途のマルチメモリなしでシステム制御に必要なプログラムを貯蔵する命令／データキャッシュを有することを特徴とする請求項１記載のマルチメディア信号処理のための映像復元プロセッサ。
【請求項５】
前記復元手段は、ハフマン符号化によって圧縮されたデータを復元する可変長符号復元手段と、動き補償を実行する動き補償手段と、圧縮された動画映像の係数を時間領域の係数で復元して逆量子化を実行する逆ＤＣＴ  ／逆量子化手段と、ＡＣ／ＤＣ係数の予測によって圧縮されたデータを復元するデータ復元手段と、前記復元手段の各構成部が共通で使用するメモリ手段と、前記各構成部のシーケンスを制御するシーケンス制御手段とを有することを特徴する請求項１記載のマルチメディア信号処理のための映像復元プロセッサ。
【請求項６】
前記シーケンス制御手段は、フレーム単位で前記制御手段を介して解釈された情報を用いてブロック単位でピクセルデータ復元のための全体シーケンスを制御し、前記可変長符号復元手段、前記逆ＤＣＴ  ／逆量子化手段及び前記動き補償手段における一連のパイプラインを有機的に制御するようにしたことを特徴とする請求項５記載のマルチメディア信号処理のための映像復元プロセッサ。
【請求項７】
前記可変長符号復元手段は、ハフマン符号化された入力データを１コード単位で順方向または逆方向に復元するようにしたことを特徴とする請求項５記載のマルチメディア信号処理のための映像復元プロセッサ。
【請求項８】
前記逆ＤＣＴ  ／逆量子化手段は、周波数領域で符号化された入力データに対して、時間領域に逆変換し、逆量子化を実行して、動画映像処理時の演算量を最小化すべく前記可変長符号復元手段から受けた係数の特徴に関する情報を用いて局部的な逆離散コサイン変換を実行するようにしたことを特徴とする請求項５記載のマルチメディア信号処理のための映像復元プロセッサ。
【請求項９】
前記動き補償手段は、入力された動きベクターの差分値と周辺マクロブロックの動きベクターを用いて予測された値とで最終的な動きベクターを計算し、計算された動きベクターを用いて以前フレームの相対的な位置を探し出した後、該当する領域のピクセルデータを読み込んで現在のブロックの復元に用いて、前記制御手段から発生されたエラーのモード及び条件の入力を受けて、必要なエラー隠匿機能を実行するようにしたことを特徴とする請求項５記載のマルチメディア信号処理のための映像復元プロセッサ。
【請求項１０】
以前フレームまたは現在処理しようとするフレームを外部メモリから読み込む過程を、前記復元手段の各構成部の動作とは独立的に実行するようにしたことを特徴とする請求項９記載のマルチメディア信号処理のための映像復元プロセッサ。
【請求項１１】
前記メモリ手段は、動画映像データの復元時に必要な中間結果を記憶すると共に、以前フレームのデータを一時的に記憶するようにしたことを特徴とする請求項５記載のマルチメディア信号処理のための映像復元プロセッサ。
【請求項１２】
前記後処理手段は、動画映像の他に追加的に文字を同時に表示するＯＳＤ  機能と、復元された動画映像に対してデブロッキングを実行するデブロッキングフィルタ機能と、外部出力装置の種類に応じて適合する制御信号を発生させる表示制御機能と、外部デジタル出力装置のインターフェースを実行する機能と、復元された動画映像に対して補間を実行する補間フィルタ機能とを実行するようにしたことを特徴とする請求項１記載のマルチメディア信号処理のための映像復元プロセッサ。
【請求項１３】
前記制御手段、前記復元手段、前記後処理手段、前記第３インターフェース手段、前記第４インターフェース手段及び前記メモリ制御手段は、独立的なメインバスを介してインターフェースされるようにしたことを特徴とする請求項１記載のマルチメディア信号のための映像復元プロセッサ。
【請求項１４】
前記周辺装置は、外部ホストプロセッサとのインターフェースを提供するホストインターフェースと、ソフトウェアリセットを制御するＷＤＴ  と、カウントアップ／ダウンを支援するタイマと、外部から入力される各種インタラプトを処理するＩＣＵ  と、内部にクロックを供給するＰＬＬ  と、システム応用時に凡庸入出力端子で使用するＧＰＩＯと、外部映像エンコーダ及びデコーダへのインターフェースを提供するＩＩＣ  と、音声インターフェースのために使用されるＩＩＳ  と、凡庸直列通信ポートであるＵＡＲＴと、マルチチャンネル直列通信を支援してマスターまたはスレーブモードで動作するＳＰＩ  とを有することを特徴とする請求項１記載のマルチメディア信号処理のための映像復元プロセッサ。
【請求項１５】
前記周辺装置の各構成部は、異なるバスと独立的に動作する周辺装置制御バスを介してインターフェースされるようにしたことを特徴とする請求項１４記載のマルチメディア処理のための映像復元プロセッサ。
【請求項１６】
前記制御手段、前記第１インターフェース手段、前記第２インターフェース手段及び前記第３インターフェース手段は前記メインバスに対してマスターの機能を実行し、前記第４インターフェース手段及び前記メモリ制御手段は前記メインバスに対してスレーブの機能を実行するようにしたことを特徴とする請求項１記載のマルチメディア信号処理のための映像復元プロセッサ。
【請求項１７】
前記制御手段は、動画映像の復号過程にあって、フレーム単位で含まれる各種ヘッダ情報と上位マクロブロックに対する情報とをソフトウェア的に解釈するようにしたことを特徴とする請求項１記載のマルチメディア信号処理のための映像復元プロセッサ。
【請求項１８】
前記制御手段にダウンロードされる外部プログラムは、前記周辺装置の中で、外部ホストプロセッサとのインターフェースを提供するホストインターフェースを介して電源を認可すると共に、必要なコードを読み込むようにしたことを特徴とする請求項１記載のマルチメディア信号処理のための映像復元プロセッサ。
【請求項１９】
前記制御手段にダウンロードされる外部プログラムは、前記メモリ制御手段を用いて、外部のプログラムメモリから前記メインバスを介して読み込むようにしたことを特徴とする請求項１または１８記載のマルチメディア信号処理のための映像復元プロセッサ。
【請求項２０】
前記復元手段は、コプロセッサバスを介して前記制御手段を用いて命令を受け入れる際に、前記制御手段とハンドシェイク方式でインターフェースするようにしたことを特徴とする請求項１記載のマルチメディア信号処理のための映像復元プロセッサ。
【請求項２１】
前記コプロセッサバスは、前記制御手段を介して前記メインバスとバス動作するようにしたことを特徴とする請求項３記載のマルチメディア信号処理のための映像復元プロセッサ。
【請求項２２】
前記周辺装置制御バスは、前記第４インターフェース手段を介して前記メインバスと動作制御するようにしたことを特徴とする請求項１５記載のマルチメディア処理のための映像復元プロセッサ。